(57)【要約】【課題】  ラップベルトの拘束性を良好にしたシートベルト補助装置を提供する。【解決手段】  このシートベルト補助装置１０においては、補助ベルト１１をラップベルト３に固定する際に面ファスナ１４が利用されているので、ラップベルト１４が妊婦などの乗員に与える圧迫感を任意に調整することがでる。さらに、ファスナ保持手段２０により、第１の面ファスナ部分１６と第２の面ファスナ部分１７との面合わせを外的に保持するので、急ブレーキ時や衝突時に面ファスナ１４が外れてしまうような事態を回避させることができる。このようなシートベルト補助装置１０の採用により、ラップベルト３の十分な拘束性が担保され、シートベルトによる乗員の安全性を更に向上させることができる。【選択図】  図４
2005153551.tif 000002
【特許請求の範囲】
【請求項１】
ラップベルトを下方に引き寄せるためのシートベルト補助装置において、
上端側が前記ラップベルトに巻き付けられると共に、前記ラップベルトを下方に引き寄せる補助ベルトと、
前記補助ベルトの前記上端側で所定の間隔をもって設けられた第１の面ファスナ部分と第２の面ファスナ部分とからなると共に、前記第１の面ファスナ部分と前記第２の面ファスナ部分とを面合わせすることにより前記補助ベルトを前記ラップベルトに巻き付け固定させる面ファスナと、
前記第１の面ファスナ部分と前記第２の面ファスナ部分との面合わせを保持するファスナ保持手段とを備えたことを特徴とするシートベルト補助装置。
【請求項２】
前記ファスナ保持手段は、
面合わせされた前記第１の面ファスナ部分と第２の面ファスナ部分とを包囲するケースと、
前記ケースの側壁に設けられると共に、前記補助ベルトの延在方向に沿って傾斜するガイド部と、
前記ガイド部に沿って移動自在なスライダ部とを備えたことを特徴とする請求項１記載のシートベルト補助装置。
【請求項３】
前記ファスナ保持手段は、前記スライダ部を前記ラップベルト側に向けて付勢するバネ手段を更に備えたことを特徴とする請求項２記載のシートベルト補助装置。
【請求項４】
前記補助ベルトには、前記ファスナ保持手段の近傍で且つ下方に位置するストッパ棒収容部が設けられていることを特徴とする請求項１〜３のいずれか一項記載のシートベルト補助装置。
【請求項５】
前記補助ベルトには、前記ファスナ保持手段の前記スライダ部に下側から係合するロック部材が着脱自在に設けられていることを特徴とする請求項１〜４のいずれか一項記載のシートベルト補助装置。
【発明の詳細な説明】
【技術分野】
【０００１】
本発明は、妊婦などがシートベルトを着用する際に利用されるシートベルト補助装置に関するものである。
【背景技術】
【０００２】
従来において、自動車等には、急ブレーキ時や衝突時などに乗員の安全性を確保するためのシートベルトが備え付けられている。例えば、三点式シートベルトの場合、ショルダベルトによって乗員の上半身をホールドし、ラップベルトによって乗員の腰部をホールドすることで、乗員の十分な拘束性能が担保される。しかし、妊婦や肥満体などの腹部の大きな乗員が乗車する場合、ラップベルトは、腰部分ではなく腹部に掛かる傾向にあり、十分な拘束性が得られないことがある。特に、妊婦の場合には、胎児への影響を考慮して、腹部にラップベルトが掛かることは好ましくない。このような事態を回避するために、シートクッション型のマタニティシートベルトが市販されている。このマタニティシートベルトは、ラップベルトを下方に引き寄せておくために、シートクッションの両側から延び出た補助ベルトを有している。そして、この補助ベルトに設けられた面ファスナによって、ラップベルトとシートクッションとを連結し、シートベルト装着時において、面ファスナの調整機能によりラップベルトが妊婦に与える圧迫感を軽減している。
【特許文献１】特開２００３−２２６２２４号公報
【特許文献２】特開２００３−２００８１５号公報
【特許文献３】実開平６−４４６５５号公報
【特許文献４】実開昭６４−１９５５５号公報
【特許文献５】特開２００３−３１２号公報
【特許文献６】実用新案登録第３０２３５９３号公報
【発明の開示】
【発明が解決しようとする課題】
【０００３】
しかしながら、前述したマタニティシートベルトは、この補助ベルトに設けられた面ファスナによって、ラップベルトとシートクッションとを連結させる構成を有しているので、面ファスナが劣化などしていると、ラップベルトを拘束し難く、急ブレーキ時や衝突時に面ファスナが外れてしまう場合がある。
【０００４】
本発明は、ラップベルトの拘束性を良好にしたシートベルト補助装置を提供することを目的とする。
【課題を解決するための手段】
【０００５】
本発明に係るシートベルト補助装置は、ラップベルトを下方に引き寄せるためのシートベルト補助装置において、上端側がラップベルトに巻き付けられると共に、ラップベルトを下方に引き寄せる補助ベルトと、補助ベルトの上端側で所定の間隔をもって設けられた第１の面ファスナ部分と第２の面ファスナ部分とからなると共に、第１の面ファスナ部分と第２の面ファスナ部分とを面合わせすることにより補助ベルトをラップベルトに巻き付け固定させる面ファスナと、第１の面ファスナ部分と第２の面ファスナ部分との面合わせを保持するファスナ保持手段とを備えたことを特徴とする。
【０００６】
このシートベルト補助装置においては、補助ベルトをラップベルトに固定する際に面ファスナが利用されているので、ラップベルトが妊婦などの乗員に与える圧迫感を任意に調整することができる。さらに、ファスナ保持手段により、第１の面ファスナ部分と第２の面ファスナ部分との面合わせを外的に保持するので、急ブレーキ時や衝突時に面ファスナが外れてしまうような事態を回避することができる。このようなシートベルト補助装置の採用により、ラップベルトの十分な拘束性が担保され、シートベルトによる乗員の安全性を更に向上させることができる。
【０００７】
また、ファスナ保持手段は、面合わせされた第１の面ファスナ部分と第２の面ファスナ部分とを包囲するケースと、ケースの側壁に設けられると共に、補助ベルトの延在方向に沿って傾斜するガイド部と、ガイド部に沿って移動自在なスライダ部とを備えると好適である。急ブレーキ時や衝突時において、補助ベルトがラップベルトから外れようとする力が作用した場合でも、第1の面ファスナ部分と第２の面ファスナ部分とがスライダ部によって互いに圧着される状態が維持されている限りにおいて、補助ベルトがラップベルトから外れることがない。
【０００８】
また、ファスナ保持手段は、スライダ部をラップベルト側に向けて付勢するバネ手段を更に備えると好適である。補助ベルトをラップベルトに装着する際、スライダ部から指を離すと、バネ手段によってスライダ部がラップベルト側に自動的に移動する。その結果、スライダ部は、バネ力により面ファスナを適度な力で締め込むことができ、ファスナ保持手段の確実な装着が容易に達成される。
【０００９】
また、補助ベルトには、ファスナ保持手段の近傍で且つ下方に位置するストッパ棒収容部が設けられていると好適である。ストッパ棒収容部内にストッパ棒を入れ込むと、ストッパ棒はファスナ保持手段の近傍で且つ下方に配置される。従って、急ブレーキ時や衝突時において、補助ベルトがラップベルトから外れようとした場合、補助ベルトの移動に追従してストッパ棒も移動し、ストッパ棒がファスナ保持手段に当たるので、このストッパ棒は補助ベルトの移動を規制し、ラップベルトから補助ベルトが外れるのが防止される。
【００１０】
また、補助ベルトには、ファスナ保持手段のスライダ部に下側から係合するロック部材が着脱自在に設けられていると好適である。急ブレーキ時や衝突時において、補助ベルトがラップベルトから外れようとした場合、補助ベルトの移動に追従してロック部材も移動する。その結果、補助ベルトに装着したロック部材がスライダ部に当たり続け、ロック部材がスライダ部を下側から押し続ける。従って、第1の面ファスナ部分と第２の面ファスナ部分とがスライダ部によって互いに強い力で圧着され続けることになり、急ブレーキ時などでも補助ベルトがラップベルトから極めて外れ難くなる。
【発明の効果】
【００１１】
本発明によれば、急ブレーキ時や衝突時などにおいて、補助ベルトによるラップベルトの拘束性が良好になる。
【発明を実施するための最良の形態】
【００１２】
以下、図面を参照しつつ本発明に係るシートベルト補助装置の好適な実施形態について詳細に説明する。なお、各実施形態の説明において、同一又は同等の構成部分には同一符号を付して、その説明は省略する。
【００１３】
[第１の実施形態]
図１及び図２に示されたシートベルト装置１は三点式であり、ショルダベルト２で乗員ＣＲの上半身をホールドし、ラップベルト３で乗員ＣＲの腰部分をホールドする。しかし、このようなシートベルト装置１を妊婦や肥満体などの腹部Ｂが大きな乗員が単に装着すると、ラップベルト３は、ズリ上がって腰部分ではなく腹部Ｂに掛かる傾向にあり、十分な拘束性が得られないことがある。特に、妊婦の場合、胎児への影響を考慮して、二点鎖線で示すようにラップベルト３が腹部Ｂに掛かることは好ましくない。
【００１４】
そこで、シートＳの両側において、ラップベルト３を腰の部分で下方に引き寄せるためのシートベルト補助装置１０が利用される。このシートベルト補助装置１０は、図３〜図５に示すように、ラップベルト３が弛むのを防止するためにラップベルト３を下方に引き寄せる補助ベルト１１を有している。この補助ベルト１１の上端は、ラップベルト３に着脱自在に巻き付けられ、補助ベルト１１の下端は、シートＳの側面に設けられた補助バックル１２に着脱自在に装着される。
【００１５】
この補助ベルト１１は、伸縮し難い生地(例えばシートベルトと同一生地)によって作られており、この補助ベルト１１の下端にはＵ字状のフック部１３が固定されている。例えば、このフック部１３の上端に設けられた開口部１３ａ内に補助ベルト１１の下端を通した後、補助ベルト１１の先端を縫い付けることで、フック部１３が補助ベルト１１の下端に固定される。これに対し、シートＳの側面には、金属製の補助バックル１２がネジ固定され、この補助バックル１２の上端には、フック部１３を引っ掛けるための掛止めバー１２ａが一体に形成されている。
【００１６】
これに対し、補助ベルト１１の上端側には面ファスナ１４が設けられ、この面ファスナ１４は、補助ベルト１１の上端側で所定の間隔をもって設けられた第１の面ファスナ部分１６と第２の面ファスナ部分１７とからなる。そして、第１の面ファスナ部分１６と第２の面ファスナ部分１７とを面合わせにより補助ベルト１１はラップベルト３に巻き付け固定される。例えば、この面ファスナ１４は、小さなループ部が密に並んだ第１の面ファスナ部分１６と、小さな鍵状のフック部が密に並んだ第２の面ファスナ部分１７とからなり、多数のフック部がループ部に引っ掛かることで、補助ベルト１１がラップベルト３にしっかりと固着される。このような面ファスナ１４を利用することで、補助ベルト１１の長さ調整機能が達成され、ラップベルト３が妊婦などの乗員に与える圧迫感を調整することができる。
【００１７】
このような補助ベルト１１を利用してラップベルト３をシートＳに引き寄せた場合、補助ベルト１１の下端は、フック部１３によってシートＳにしっかりと固定されている。しかし、補助ベルト１１の上端は、面ファスナ１４をもってラップベルト３に固定されているだけなので、面ファスナ１４の劣化などの原因により、急ブレーキ時や衝突時に第１の面ファスナ部分１６から第２の面ファスナ部分１７が外れると、補助ベルト１１によるラップベルト３の拘束が十分になされず、妊婦などの乗員がサブマリン現象と呼ばれる事態になる場合がある。
【００１８】
そこで、図４〜図６に示すように、シートベルト補助装置１０は、第１の面ファスナ部分１６と第２の面ファスナ部分１７との面合わせを保持するファスナ保持手段２０を更に備える。ファスナ保持手段２０は、面合わせされた第１の面ファスナ部分１６と第２の面ファスナ部分１７とを外側から包囲する樹脂製のケース２１を有する。このケース２１の上壁２２及び下壁２３には、補助ベルト１１を挿入するための開口部２２ａ，２３ａが形成されている。さらに、このケース２１の両側壁２６，２６には、補助ベルト１１の延在方向に沿って傾斜する左右一対のガイド部２７，２７が設けられ、このガイド部２７はガイドレールとして形成されている。
【００１９】
さらに、ケース２１内には、左右のガイドレール（ガイド部）２７に沿って移動自在なスライダ部２８が配置され、このスライダ部２８の側面には、ガイドレール２７が入り込む程度の大きさを有するガイド溝２９が形成されている。また、ガイドレール２７は、上方に行くにつれて補助ベルト１１に近づくように延在する。従って、スライダ部２８を上方に強く引き上げることによって、スライダ部２８と底壁２５との協働により第1の面ファスナ部分１６が第２の面ファスナ部分１７に圧着される。そして、シートベルト装着時にこの状態を維持し続けると、急ブレーキ時や衝突時などで、補助ベルト１１がラップベルト３から外れようとする力が作用しても、補助ベルト１１がラップベルト３から外れることがない。よって、補助ベルト１１によって、ラップベルト３の十分な拘束性が担保され、妊婦などの乗員の安全性を更に向上させることができる。なお、スライダ部２８の裏面には、滑り止め対策として凹凸状の摩擦面２８ａ（図６参照）が形成され、スライダ部２８のロック状態を最適に維持し続けることができる。
【００２０】
[第２の実施形態]
図７及び図８に示すように、他のシートベルト補助装置３０におけるファスナ保持手段３１は、スライダ部２８をロック方向すなわちラップベルト３側に向かう方向に付勢するバネ手段３３を更に備えている。すなわち、ケース２１の上部において、ケース２１の上壁２２とスライダ部２８とを引張りバネ（バネ手段）３３で連結し、スライダ部２８が常に上向きに付勢される。なお、バネ手段３３として圧縮バネを利用する場合には、図示しないが、ケース２１の下部において、ケース２１の下壁２３とスライダ部２８との間に配置させる。従って、スライダ部２８から指を離すと、バネ手段３３によってスライダ部２８をラップベルト３側に自動的に移動させることができる。その結果として、スライダ部２８は、バネ力により面ファスナ１４を適度な力で締め込み続けることができる。
【００２１】
[第３の実施形態]
図９〜図１１に示すように、さらに他のシートベルト補助装置４０における補助ベルト４１の先端には、円柱状の金属又は樹脂製のストッパ棒４２を収容するためのストッパ棒収容部４３が形成されている。このストッパ棒収容部４３は、横からストッパ棒４２を差し込めるように、縫合によって袋状に形成されている。また、このようなストッパ棒収容部４３は、補助ベルト１１の利用時において、補助ベルト１１の上端側でファスナ保持手段２０の近傍且つ下方に配置されることになる。
【００２２】
そこで、面ファスナ１４上にファスナ保持手段２０を装着した状態で、ストッパ棒収容部４３内にストッパ棒４２を横から差し込むと、ストッパ棒４２を、ファスナ保持手段２０の近傍且つ下方に配置させることができる。よって、急ブレーキ時や衝突時において、補助ベルト４１がラップベルト３から外れようとした場合でも、補助ベルト４１の移動に追従してストッパ棒４２も移動し、その結果として、ストッパ棒４２がファスナ保持手段２０に当たる。従って、このストッパ棒４２は、補助ベルト４１の移動を規制し、ラップベルト３から補助ベルト４１が外れるのを適切に防止する。
【００２３】
[第４の実施形態]
図１２及び図１３に示すように、さらに他のシートベルト補助装置５０では、更に板状のロック部材５１が面ファスナ５２を介して補助ベルト４１に着脱自在に装着されている。このロック部材５１は、ストッパ棒４２の近傍において、面ファスナ５２を介して補助ベルト４１に装着され、ロック部材５１の上端は、開口部２３ａ内に潜り込むよう装着される。これによって、ロック部材５１をスライダ部２８に近づけることができる。
【００２４】
よって、急ブレーキ時や衝突時において、補助ベルト４１がラップベルト３から外れようとした場合でも、補助ベルト４１の移動に追従してロック部材５１も移動し、その結果として、補助ベルト４１に装着したロック部材５１がスライダ部２８に当たり続け、ロック部材５１がスライダ部２８を下側から押し続ける。従って、第1の面ファスナ部分１６と第２の面ファスナ部分１７とが、スライダ部２８と底壁２５との協働により互いに強い力で圧着され、急ブレーキ時などでも補助ベルト４１がラップベルト３から極めて外れ難くなる。なお、ロック部材５１は、補助ベルト４１に対して面ファスナ５２を介して着脱自在に構成されている。従って、ロック部材５１は補助ベルト４１に対して後付けが可能であり、ロック部材５１の装着を確実なものにする。
【００２５】
本発明は、前述した実施形態に限定されるものではない。例えば、三点式シートベルトに限定されず、バス、航空機、ジェットコースなどで採用されている二点式シートベルトのラップベルト３に補助ベルト１１を装着させても、良好な効果が得られる。また、図示しないが、ガイド部２７を傾斜状のガイド溝として形成した場合、スライダ部２８の側面から突出させた摺動ピンをガイド溝内に挿入した構成であってもよい。また、バネ手段３３は板バネであってもよい。また、補助ベルト１１の下端は車内のフロアに固定してもよい。
【図面の簡単な説明】
【００２６】
【図１】シートベルト装置に本発明に係るシートベルト補助装置を適用した第１の実施形態を示す側面図である。
【図２】図１に示したシートベルト装置の正面図である。
【図３】本発明に係るシートベルト補助装置を示す側面図である。
【図４】図３のIV−IV線に沿う断面図である。
【図５】シートベルト補助装置の要部を示す斜視図である。
【図６】ファスナ保持手段を示す斜視図である。
【図７】シートベルト補助装置の第２の実施形態を示す断面図である。
【図８】ファスナ保持手段の他の例を示す斜視図である。
【図９】シートベルト補助装置の第３の実施形態を示す断面図である。
【図１０】補助ベルトのストッパ棒収容部を示す斜視図である。
【図１１】ストッパ棒収容部及びストッパ棒を示す斜視図である。
【図１２】シートベルト補助装置の第４の実施形態を示す断面図である。
【図１３】補助ベルトにロック部材を装着した状態を示す斜視図である。
【符号の説明】
【００２７】
３…ラップベルト、１０，３０，４０，５０…シートベルト補助装置、１１，４１…補助ベルト、１４…面ファスナ、１６…第１の面ファスナ部分、１７…第２の面ファスナ部分、２０，３１…ファスナ保持手段、２１…ケース、２６…ケースの側壁、２７…ガイドレール(ガイド部)、２８…スライダ部、３３…引張りバネ(バネ手段)、４２…ストッパ棒、４３…ストッパ棒収容部、５１…ロック部材。
【図１】
2005153551.tif 000003
【図２】
2005153551.tif 000004
【図３】
2005153551.tif 000005
【図４】
2005153551.tif 000006
【図５】
2005153551.tif 000007
【図６】
2005153551.tif 000008
【図７】
2005153551.tif 000009
【図８】
2005153551.tif 000010
【図９】
2005153551.tif 000011
【図１０】
2005153551.tif 000012
【図１１】
2005153551.tif 000013
【図１２】
2005153551.tif 000014
【図１３】
2005153551.tif 000015